(57)【要約】【課題】印刷物のチケットと同様に、人間の視覚的に認識しやすい電子チケットであって、個人を認証することができる電子チケット配信方法等を提供する。【解決手段】携帯端末が、利用者の生体情報を取得し、生体情報を含むチケット購入メッセージをサーバへ送信する。サーバが、生体情報から鍵を生成し、鍵を用いてチケット情報に認証画像を透かしで埋め込んで、その透かしチケット情報を端末へ送信する。端末が、生体情報から鍵を生成し、鍵を用いて透かしチケット情報から認証画像を検出し、生体情報及び認証画像をディスプレイに表示する。端末のディスプレイに表示された認証画像を、検札装置のコード読取部に読み取らせて、電子チケットの真偽を判定する。【選択図】図３
2007122143.tif 000002
【特許請求の範囲】
【請求項１】
携帯端末と、電子チケットを配信するサーバとがネットワークを介して接続されたシステムにおける電子チケット配信方法において、
前記携帯端末が、利用者の生体情報を取得する第１のステップと、
前記生体情報及びチケット購入情報を含むチケット購入メッセージを前記サーバへ送信する第２のステップと、
前記サーバが、前記生体情報から鍵を生成する第３のステップと、
前記サーバが、前記チケット購入情報からチケット情報を選択し且つ認証画像を生成する第４のステップと、
前記サーバが、前記鍵を用いて前記認証画像を前記チケット情報に電子透かしで埋め込んで、透かしチケット情報を生成する第５のステップと、
前記サーバが、前記透かしチケット情報を前記携帯端末へ送信する第６のステップと、
前記携帯端末が、前記生体情報から鍵を生成する第７のステップと、
前記携帯端末が、前記鍵を用いて、前記透かしチケット情報から前記認証画像を検出する第８のステップと、
前記携帯端末が、前記生体情報及び前記認証画像をディスプレイに表示し、該ディスプレイに表示された前記認証画像を、検札装置のコード読取部に読み取らせる第９のステップと
を有することを特徴とする電子チケット配信方法。
【請求項２】
前記第３のステップについて、前記サーバは、前記生体情報から第１の鍵及び第２の鍵を生成し、
前記第５のステップについて、前記サーバは、前記第１の鍵を用いて前記認証画像を暗号化し、第２の鍵を用いて、暗号化された前記認証画像を前記チケット情報に電子透かしで埋め込む位置を決定し、
前記第７のステップについて、前記携帯端末は、前記生体情報から第１の鍵及び第２の鍵を生成し、
前記第８のステップについて、前記携帯端末は、前記第２の鍵を用いて前記透かしチケット情報から前記認証画像をその透かし埋め込み位置から検出し、前記第１の鍵を用いて、検出された前記認証画像を復号化する
ことを特徴とする請求項１に記載の電子チケット配信方法。
【請求項３】
前記第４のステップについて、前記サーバが、前記生体情報を前記認証画像に対応付けて生体情報蓄積部に記憶し、
前記第９のステップについて、前記検札装置の管理ディスプレイに、前記認証画像に対応する前記生体情報を表示する
ことを特徴とする請求項１又は２に記載の電子チケット配信方法。
【請求項４】
前記生体情報は、顔写真情報であることを特徴とする請求項１から３のいずれか１項に記載の電子チケット配信方法。
【請求項５】
電子チケットをサーバから受信し、該電子チケットをディスプレイに表示して検札装置に読み取らせることができる携帯端末において、
利用者の生体情報を取得する生体情報取得手段と、
前記生体情報及びチケット購入情報を含むチケット購入メッセージを前記サーバへ送信するチケット購入メッセージ送信手段と、
前記生体情報から鍵を生成する生体情報鍵生成手段と、
前記サーバから、前記鍵によって認証画像がチケット情報に電子透かしで埋め込まれた透かしチケット情報を受信する透かしチケット情報受信手段と、
前記鍵を用いて、前記透かしチケット情報から前記認証画像を検出する透かし検出手段と、
前記生体情報及び前記認証画像を表示し、前記検札装置のコード読取部によって前記認証画像を読み取らせる表示手段と
を有することを特徴とする携帯端末。
【請求項６】
前記生体情報鍵生成手段は、前記生体情報から第１の鍵及び第２の鍵を生成し、
前記透かし検出手段は、前記第２の鍵を用いて前記透かしチケット情報から前記認証画像の透かし埋め込み位置を決定し、前記第１の鍵を用いて、検出された前記認証画像を復号することを特徴とする請求項５に記載の携帯端末。
【請求項７】
携帯端末からチケット購入メッセージを受信し、前記携帯端末へ電子チケットを配信する電子チケット配信サーバにおいて、
前記携帯端末から、前記生体情報及びチケット購入情報を含むチケット購入メッセージを受信するチケット購入情報受信手段と、
前記生体情報から鍵を生成する生体情報鍵生成手段と、
前記チケット購入情報からチケット情報を選択するチケット情報選択手段と、
前記チケット購入情報から認証画像を生成する認証画像生成手段と、
前記鍵を用いて、前記チケット情報に前記認証画像を電子透かしで埋め込んだ透かしチケット情報を生成する透かし埋込手段と、
前記携帯端末へ、前記透かしチケット情報を送信する透かしチケット情報送信手段と
を有することを特徴とする電子チケット配信サーバ。
【請求項８】
前記生体情報鍵生成手段は、前記生体情報から第１の鍵及び第２の鍵を生成し、
前記透かし埋込手段は、前記第１の鍵を用いて前記認証画像を暗号化し、第２の鍵を用いて、前記チケット情報に対して、暗号化された前記認証画像の透かしの埋め込み位置を決定することを特徴とする請求項７に記載の電子チケット配信サーバ。
【請求項９】
請求項５又は６に記載の携帯端末と、
請求項７又は８に記載の電子チケット配信サーバと、
前記電子チケット配信サーバに接続された検札装置と
を有する電子チケット配信システムであって、
前記サーバは、前記生体情報を、前記認証画像に対応付けて記憶する生体情報蓄積手段を更に有し、
前記検札装置は、
前記携帯端末に表示された前記認証画像を読み取るコード読取手段と、
読み取られた前記認証画像の真偽を判定し、前記認証画像に対応する前記生体情報を前記電子チケット配信サーバから取得する入行管理手段と、
取得された前記生体情報を表示する管理ディスプレイとを有する
ことを特徴とする電子チケット配信システム。
【請求項１０】
電子チケットをサーバから受信し、該電子チケットをディスプレイに表示して検札装置に読み取らせることができる携帯端末について、該携帯端末に搭載されたコンピュータを機能させるプログラムにおいて、
利用者の生体情報を取得する生体情報取得手段と、
前記生体情報及びチケット購入情報を含むチケット購入メッセージを前記サーバへ送信するチケット購入メッセージ送信手段と、
前記生体情報から鍵を生成する生体情報鍵生成手段と、
前記サーバから、前記鍵によって認証画像をチケット情報に電子透かしで埋め込んだ透かしチケット情報を受信する透かしチケット情報受信手段と、
前記鍵を用いて、前記透かしチケット情報から前記認証画像を検出する透かし検出手段と、
前記生体情報及び前記認証画像を表示し、前記検札装置のコード読取部によって前記認証画像を読み取らせる表示手段と
してコンピュータを機能させることを特徴とするプログラム。
【請求項１１】
前記生体情報鍵生成手段は、前記生体情報から第１の鍵及び第２の鍵を生成し、
前記透かし検出手段は、前記第２の鍵を用いて前記透かしチケット情報から前記認証画像の透かし埋め込み位置を決定し、前記第１の鍵を用いて、検出された前記認証画像を復号する
ようにコンピュータを機能させることを特徴とする請求項１０に記載のプログラム。
【発明の詳細な説明】
【技術分野】
【０００１】
本発明は、入行管理をするための電子チケットを配信する方法、携帯端末、サーバ、システム及びプログラムに関する。
【背景技術】
【０００２】
コンサート、映画等への入場する際に、印刷物であるチケットを提示し、半券とすることによって入行管理がなされている。近年では、入行管理のために、携帯電話機の携帯端末へ向けて電子チケットを配信するサービスが普及してきている。利用者にとっては、携帯端末を用いてチケットの購入と料金の支払いをすることができるという利便性がある。一方、チケット販売会社にとっては、チケットを手渡す手間が省けるだけなく、チケットの不正偽造防止の効果がある。
【０００３】
図１は、従来技術におけるシステム構成図である。
【０００４】
図１によれば、携帯電話機のような携帯端末１が、無線リンクを介して基地局４に接続されている。基地局４は、移動通信網５を介してインターネット６にも接続される。インターネット６には電子チケット配信サーバ２が接続され、携帯端末１は、電子チケット配信サーバ２と通信をすることができる。
【０００５】
携帯端末１は、電子チケット配信サーバ２へアクセスし、チケット購入メッセージを送信する。チケット購入メッセージには、チケット購入情報（チケットの識別情報、利用者の個人情報、決済カード番号等）が含まれる。
【０００６】
これに対し、電子チケット配信サーバ２は、その料金を決済した後で、電子チケットを携帯端末１へ送信する。電子チケットは、バーコード又はＱＲコードのような認証情報であって、携帯端末１のディスプレイに表示可能な情報である。
【０００７】
携帯端末１は、その電子チケットを保持する。携帯端末１の利用者は、検札装置３から入行する際に、電子チケットを携帯端末１のディスプレイに表示させる。利用者が、認証画像が表示された携帯端末１のディスプレイを、検札装置３のコード読取部３１にかざす（非接触）。このとき、認証画像（コード）が読み取られる。
【０００８】
検札装置３によって読み取られたコードは、入行管理部３２によってその電子チケットの真偽が判定される。入行管理部３２は、管理ディスプレイ３３にその真偽結果を表示する。これにより、検札装置３から入行しようとしている利用者を監視している入行管理者は、その利用者の所持する電子チケットの正当性を認証することができる。正当な電子チケットと判定された際に、その携帯端末を所持する利用者の入行を認める。
【０００９】
他の従来技術として、電子チケットに認証情報の透かしを埋め込んだものがある（例えば特許文献１参照）。「透かし」とは、人間が知覚できない程度に透かし情報を埋め込み、デジタルコンテンツの質を損なわせない技術をいう。
【００１０】
また、他の従来技術として、会員のみに鍵情報を配布することにより、会員だけが割引情報の入った電子透かしを復号できる電子クーポン配信システムもある（例えば特許文献２参照）。この方法では、特定人だけが鍵を持つことができ、特定人以外の人が、透かしを復号することを防ぐことができる。透かしの復号は、その会員の端末において行なうことができ、割引情報などを書いた解読結果を会員が見ることができる。割引情報を透かしに埋め込み、初めは定価を表示することで、利用者が復号後に明らかになる割引を楽しみにし、販売効果をあげることもできる。
【００１１】
【特許文献１】特開２００４−０７８４２９号公報
【特許文献２】特開２００２−２６９４２５号公報
【発明の開示】
【発明が解決しようとする課題】
【００１２】
しかしながら、バーコード又はＱＲコードとして表示される電子チケットは、人間の視覚的な認識では区別がつきにくく、利用者にとって管理しにくいという問題がある。
【００１３】
また、電子チケットに認証情報の透かしを埋め込むことによって、電子チケット自体を認証することができる。しかし、個人を認証することはできない。即ち、正当な電子チケットであれば、例えば窃盗された場合であっても不正利用者の利用を許すこととなる。
【００１４】
従って、本発明は、印刷物のチケットと同様に、人間の視覚的に認識しやすい電子チケットであって、チケットの正当性だけでなく、更に個人を認証することもできる電子チケット配信方法等を提供することを目的とする。
【課題を解決するための手段】
【００１５】
本発明によれば、携帯端末と、電子チケットを配信するサーバとがネットワークを介して接続されたシステムにおける電子チケット配信方法において、
携帯端末が、利用者の生体情報を取得する第１のステップと、
生体情報及びチケット購入情報を含むチケット購入メッセージをサーバへ送信する第２のステップと、
サーバが、生体情報から鍵を生成する第３のステップと、
サーバが、チケット購入情報からチケット情報を選択し且つ認証画像を生成する第４のステップと、
サーバが、鍵を用いて認証画像をチケット情報に電子透かしで埋め込んで、透かしチケット情報を生成する第５のステップと、
サーバが、透かしチケット情報を携帯端末へ送信する第６のステップと、
携帯端末が、生体情報から鍵を生成する第７のステップと、
携帯端末が、鍵を用いて、透かしチケット情報から認証画像を検出する第８のステップと、
携帯端末が、生体情報及び認証画像をディスプレイに表示し、該ディスプレイに表示された認証画像を、検札装置のコード読取部に読み取らせる第９のステップと
を有することを特徴とする。
【００１６】
本発明の電子チケット配信方法における他の実施形態によれば、
第３のステップについて、サーバは、生体情報から第１の鍵及び第２の鍵を生成し、
第５のステップについて、サーバは、第１の鍵を用いて認証画像を暗号化し、第２の鍵を用いて、暗号化された認証画像をチケット情報に電子透かしで埋め込む位置を決定し、
第７のステップについて、携帯端末は、生体情報から第１の鍵及び第２の鍵を生成し、
第８のステップについて、携帯端末は、第２の鍵を用いて透かしチケット情報から認証画像をその透かし埋め込み位置から検出し、第１の鍵を用いて、検出された認証画像を復号化することも好ましい。
【００１７】
また、本発明の電子チケット配信方法における他の実施形態によれば、
第４のステップについて、サーバが、生体情報を認証画像に対応付けて生体情報蓄積部に記憶し、
第９のステップについて、検札装置の管理ディスプレイに、認証画像に対応する生体情報を表示することも好ましい。
【００１８】
更に、本発明の電子チケット配信方法における他の実施形態によれば、生体情報は、顔写真情報であってもよい。
【００１９】
本発明によれば、電子チケットをサーバから受信し、該電子チケットをディスプレイに表示して検札装置に読み取らせることができる携帯端末において、
利用者の生体情報を取得する生体情報取得手段と、
生体情報及びチケット購入情報を含むチケット購入メッセージをサーバへ送信するチケット購入メッセージ送信手段と、
生体情報から鍵を生成する生体情報鍵生成手段と、
サーバから、鍵によって認証画像がチケット情報に電子透かしで埋め込まれた透かしチケット情報を受信する透かしチケット情報受信手段と、
鍵を用いて、透かしチケット情報から認証画像を検出する透かし検出手段と、
生体情報及び認証画像を表示し、検札装置のコード読取部によって認証画像を読み取らせる表示手段とを有することを特徴とする。
【００２０】
本発明の携帯端末における他の実施形態によれば、
生体情報鍵生成手段は、生体情報から第１の鍵及び第２の鍵を生成し、
透かし検出手段は、第２の鍵を用いて透かしチケット情報から認証画像の透かし埋め込み位置を決定し、第１の鍵を用いて、検出された認証画像を復号することも好ましい。
【００２１】
本発明によれば、携帯端末からチケット購入メッセージを受信し、携帯端末へ電子チケットを配信する電子チケット配信サーバにおいて、
携帯端末から、生体情報及びチケット購入情報を含むチケット購入メッセージを受信するチケット購入情報受信手段と、
生体情報から鍵を生成する生体情報鍵生成手段と、
チケット購入情報からチケット情報を選択するチケット情報選択手段と、
チケット購入情報から認証画像を生成する認証画像生成手段と、
鍵を用いて、チケット情報に認証画像を電子透かしで埋め込んだ透かしチケット情報を生成する透かし埋込手段と、
携帯端末へ、透かしチケット情報を送信する透かしチケット情報送信手段と
を有することを特徴とする。
【００２２】
本発明の電子チケット配信サーバにおける他の実施形態によれば、
生体情報鍵生成手段は、生体情報から第１の鍵及び第２の鍵を生成し、
透かし埋込手段は、第１の鍵を用いて認証画像を暗号化し、第２の鍵を用いて、チケット情報に対して、暗号化された認証画像の透かしの埋め込み位置を決定することも好ましい。
【００２３】
本発明によれば、前述した携帯端末と、前述した電子チケット配信サーバと、電子チケット配信サーバに接続された検札装置とを有する電子チケット配信システムであって、
サーバは、生体情報を、認証画像に対応付けて記憶する生体情報蓄積手段を更に有し、
検札装置は、
携帯端末に表示された認証画像を読み取るコード読取手段と、
読み取られた認証画像の真偽を判定し、認証画像に対応する生体情報を電子チケット配信サーバから取得する入行管理手段と、
取得された生体情報を表示する管理ディスプレイとを有することを特徴とする。
【００２４】
本発明によれば、電子チケットをサーバから受信し、該電子チケットをディスプレイに表示して検札装置に読み取らせることができる携帯端末について、該携帯端末に搭載されたコンピュータを機能させるプログラムにおいて、
利用者の生体情報を取得する生体情報取得手段と、
生体情報及びチケット購入情報を含むチケット購入メッセージをサーバへ送信するチケット購入メッセージ送信手段と、
生体情報から鍵を生成する生体情報鍵生成手段と、
サーバから、鍵によって認証画像をチケット情報に電子透かしで埋め込んだ透かしチケット情報を受信する透かしチケット情報受信手段と、
鍵を用いて、透かしチケット情報から認証画像を検出する透かし検出手段と、
生体情報及び認証画像を表示し、検札装置のコード読取部によって認証画像を読み取らせる表示手段と
してコンピュータを機能させることを特徴とする。
【００２５】
本発明のプログラムにおける他の実施形態によれば、
生体情報鍵生成手段は、生体情報から第１の鍵及び第２の鍵を生成し、
透かし検出手段は、第２の鍵を用いて透かしチケット情報から認証画像の透かし埋め込み位置を決定し、第１の鍵を用いて、検出された認証画像を復号する
ようにコンピュータを機能させることも好ましい。
【発明の効果】
【００２６】
本発明によれば、印刷物のチケットと同様に、人間の視覚的に認識しやすい電子チケットであって、チケットの正当性だけでなく、更に個人を認証することもできる。
【００２７】
バーコード又はＱＲコードとして表示される電子チケットと比較して、人間の視覚的な認識で区別がつきやすく、利用者にとって管理しやすくなる。
【発明を実施するための最良の形態】
【００２８】
以下では、図面を用いて、本発明を実施するための最良の形態について詳細に説明する。
【００２９】
図２は、本発明におけるシステム構成図である。以下では、図１と比較して相違する点について詳細に説明する。
【００３０】
携帯端末１は、チケット購入メッセージを電子チケット配信サーバ２へ送信する。チケット購入メッセージには、チケット購入情報だけでなく、利用者の生体情報も含む。生体情報は、例えば顔写真情報である。
【００３１】
これに対し、電子チケット配信サーバ２は、携帯端末１へ、チケット情報に認証画像を電子透かしによって埋め込んだ透かしチケット情報を送信する。認証画像の暗号化と、透かし位置の決定とは、携帯端末１から受信した生体情報から生成された鍵によってなされる。チケット情報は、例えば、イベントに関連する絵柄、イベント名、アーティスト名、開催日時、曜日、会場、座席や会場へのアクセスマップなどが入ったカラー静止画像情報である。認証画像は、バーコード又はＱＲコードのように、認証情報であって且つ携帯端末１のディスプレイに表示可能な情報である。
【００３２】
チケット情報は、既存の印刷物のチケットと基本的に同じものであって、電子データ化されたものである。このようなチケット情報は、絵柄等によって他のチケット情報との視覚的な区別が容易であり、利用者にとって管理がしやすい。例えば、展覧会のチケット情報であれば有名な絵画のカラー画像情報であってもよい。ここで、コンテンツとなるチケット情報は、静止画像に限られず、動画像及び音声であってもよい。動画像及び音声であっても、電子透かしを挿入することは可能であり、チケット情報自体を、表現力の高いコンテンツとして実現できる。例えば、映画であれば予告編の動画ストリーム情報であってもよいし、音楽会であれば演奏曲の一部の音声情報であってもよい。
【００３３】
携帯端末１は、受信した透かしチケット情報を保持する。携帯端末１の利用者が、検札装置３を通って入行する際に、携帯端末１は、その透かしチケット情報から認証画像を検出し、認証画像及び顔写真情報を、携帯端末１のディスプレイに表示させる。
【００３４】
利用者が、認証画像が表示された携帯端末１のディスプレイを、検札装置３のコード読取部３１にかざすことによって、そのコードが読み取られる。検札装置３によって読み取られた認証画像は、入行管理部３２によって電子チケット配信サーバ２へ送信される。また、入行管理部３２は、認証画像の真偽を判定する。
【００３５】
図３は、本発明における携帯端末と電子チケット配信サーバとの間のシーケンス図である。
【００３６】
（Ｓ３０１）携帯端末１は、例えば顔写真情報のような利用者の生体情報を取得する。近年の携帯電話機は、一般にカメラを備えており、利用者の顔写真情報を取得し又は取り直すことも容易である。顔写真情報は、携帯端末１の生体情報蓄積部に蓄積される。
【００３７】
携帯端末１は、チケット購入メッセージを電子チケット配信サーバ２へ送信する。チケット購入メッセージには、チケット購入情報（チケットの識別情報、利用者の個人情報、決済カード番号等）だけでなく、その利用者の顔写真情報も含む。
【００３８】
（Ｓ３０２）電子チケット配信サーバ２は、生体情報（顔写真情報）から鍵を生成する。ここでは、第１の鍵と第２の鍵とが生成される。第１の鍵は、認証画像（バーコード又はＱＲコード）を暗号化するものである。第２の鍵は、チケット情報に、暗号化された認証画像を電子透かしで埋め込む際の位置を決定するものである。第１の鍵及び第２の鍵は、同じ鍵であってもよいし、異なるものであってもよい。尚、埋め込み位置に秘匿性を持たせる必要がない場合には、第２の鍵を生成する必要はない。
【００３９】
生体情報から鍵を生成する実施形態について、説明する。
【００４０】
最初に、ハッシュ関数を用いて、顔写真情報のバイナリファイルからハッシュ値を計算する。そのハッシュ値を乱数のシードとして乱数系列を計算し、その乱数系列を鍵とする。第１の鍵と第２の鍵とは同じであってもよいし、異なる鍵とするならば、異なるハッシュ関数を用いたり、又は、顔写真情報の異なる部分のバイナリファイルから導出するものであってもよい。
【００４１】
（Ｓ３０３）電子チケット配信サーバ２は、チケット購入メッセージに含まれるチケット購入情報に基づいて、チケット情報を選択し、認証画像を生成する。認証画像は、生体情報に対応付けて生体情報蓄積部に蓄積される。
【００４２】
電子チケット配信サーバ２は、生成された鍵を用いて、チケット情報に認証画像を電子透かしで埋め込んで、透かしチケット情報を生成する。具体的には、バイナリファイルの認証画像と、第１の鍵の乱数系列との排他的論理和（eXclusive OR）をとることにより、認証画像を暗号化する。
【００４３】
暗号化されたこの認証画像が、チケット画像に電子透かしとして埋め込まれる。チケット情報がＪＰＥＧ画像情報であれば、離散コサイン変換（ＤＣＴ：Discrete Cosine Transform）係数の特定箇所に埋め込み、暗号化された認証画像に応じて偶数又は奇数に置き換えることもできる。（例えば、小松尚久、田中賢一監修：「電子透かし技術」デジタルコンテンツのセキュリティ」参照）。
【００４４】
埋め込み場所を特定しない場合は、ＤＣＴ係数の中からブロックごとに鍵を用いてランダムに埋め込み箇所を選択する。埋め込み位置を決定する第２の鍵も、顔写真情報から生成される。例えば、顔写真情報をブロックに分割し、ブロック内の最下位ビットを足し合わせ、足し合わせた値を３で割った剰余により、(0,0)(0,1)(1,1)の中から埋め込み箇所をブロックごとに選択する。
【００４５】
（Ｓ３０４）電子チケット配信サーバ２は、チケット情報に認証画像を電子透かしによって埋め込んだ透かしチケット情報を、携帯端末１へ送信する。
【００４６】
（Ｓ３０５）携帯端末１は、Ｓ３０１で保持していた顔写真情報の生体情報から、Ｓ３０２と同様の方法で、第１の鍵及び第２の鍵を生成する。即ち、携帯端末１においても、電子チケット配信サーバ２と同様のハッシュ関数及び乱数発生器を備える。従って、同じ生体情報からは、同じ乱数系列の鍵が生成される。
【００４７】
（Ｓ３０６）携帯端末１は、電子チケット配信サーバ２から受信した透かしチケット情報から、鍵を用いて認証画像を検出する。具体的には、第２の鍵を用いて、透かしチケット情報に埋め込まれた、暗号化された認証画像を検出し、第１の鍵を用いて、その暗号化された認証画像を復号する。第１の鍵の乱数系列と、暗号化された認証画像とを、ＸＯＲで演算することによって、認証画像を取り出すことができる。
【００４８】
（Ｓ３０７）携帯端末１は、認証画像をディスプレイに表示する。携帯端末１の利用者が、そのディスプレイを検札装置３のコード読取部３１にかざすことにより、認証情報が読み取られる。携帯端末１は、認証画像と顔写真情報とをディスプレイに同時に又は逐次に表示することも好ましい。
【００４９】
（Ｓ３０８）検札装置３の入行管理部３２は、コード読取部３１によって読み取られたコードの正当性を認証する。これにより、認証画像自体の正当性が確認される。更に、入行管理部３２は、その認証画像を電子チケット配信サーバ２へ送信する。
【００５０】
これに対し、電子チケット配信サーバ２は、認証画像に対応付けられた生体情報（顔写真情報）を、検札装置３へ返信する。検札装置３の入行管理部３２は、認証画像の真偽結果と共に、その顔写真情報を管理ディスプレイ３３に表示する。
【００５１】
（Ｓ３０９）携帯端末１は、ディスプレイに、認証画像と共に顔写真情報も表示することができる。透かしチケット情報に対して、一度、透かし検出がなされた場合、その透かしチケット情報が半券となったことを表す情報を埋め込む。
【００５２】
図４は、本発明におけるシステムの機能構成図である。
【００５３】
図４によれば、携帯端末１は、電子チケット配信サーバ２とネットワークを介して接続されている。また、携帯端末１のディスプレイに表示された認証画像は、検札装置３によって読み取られる。更に、検札装置３は、電子チケット配信サーバ２に接続されている。
【００５４】
携帯端末１は、生体情報取得部１０と、チケット購入メッセージ送信部１１と、生体情報蓄積部１２と、生体情報鍵生成部１３と、透かしチケット情報受信部１４と、透かし検出部１５と、表示部１６とを有する。
【００５５】
生体情報取得部１０は、例えばカメラであって、利用者の顔写真情報の生体情報を取得する。
【００５６】
チケット購入メッセージ送信部１１は、チケット購入メッセージをチケット配信サーバ２へ送信する。チケット購入メッセージは、チケット購入情報及び顔写真情報を含む。
【００５７】
生体情報蓄積部１２は、携帯端末１の利用者における顔写真情報を蓄積する。この顔写真情報は、鍵の生成に用いられる。
【００５８】
生体情報鍵生成部１３は、顔写真情報から鍵を生成する。ここで、前述したように第１の鍵と第２の鍵とを生成するものであってもよい。第１の鍵は、認証画像を暗号化するものである。第２の鍵は、チケット情報に、暗号化された認証画像を電子透かしで埋め込む際の位置を決定するものである。
【００５９】
透かしチケット情報受信部１４は、電子チケット配信サーバ２から透かしチケット情報を受信する。受信された透かしチケット情報は、透かし検出部１５へ通知される。
【００６０】
透かし検出部１５は、鍵を用いて認証画像を透かし検出する。第２の鍵を用いて、透かしチケット情報に埋め込まれた、暗号化された認証画像を検出し、第１の鍵を用いて、その暗号化された認証画像を復号する。
【００６１】
また、透かし検出部１５は、１度、透かしが検出された透かしチケット情報に対して、半券となったことを表す情報を埋め込む。例えば、チケットが切り取られたように見える画像を埋め込むこともできる。その透かしチケット情報から、半券として埋め込まれた画像を取り出すことができないようにする。
【００６２】
表示部１６は、検出された認証画像をディスプレイに表示する。携帯端末のディスプレイを、検札装置３のコード読取部３１にかざすことにより、認証画像が読み取られる。尚、表示部１６は、ディスプレイに表示することに限られない。例えば、携帯端末の表示部がＩＣカードの機能を有し、検札装置のコード読取部がＩＣカードリーダの機能を有するものであってもよい。また、携帯端末から検札装置へ、赤外線通信等のワイヤレス通信によって、認証画像を送信することができるものであってもよい。即ち、携帯端末から検札装置へ認証画像が転送されればよい。
【００６３】
電子チケット配信サーバ２は、チケット購入メッセージ受信部２０と、生体情報鍵生成部２１と、チケット情報選択部２２と、認証画像生成部２３と、生体情報蓄積部２４と、透かし埋込部２５と、透かしチケット情報送信部２６とを有する。
【００６４】
チケット購入メッセージ受信部２０は、携帯端末１からチケット購入メッセージを受信する。チケット購入メッセージには、チケット購入情報及び生体情報（顔写真情報）が含まれている。チケット購入情報は、チケット情報選択部２２及び認証画像生成部２３へ通知し、顔写真情報は、生体情報蓄積部２４へ通知する。
【００６５】
生体情報鍵生成部２１は、顔写真情報から鍵を生成する。ここで、前述したように第１の鍵と第２の鍵とを生成するものであってもよい。
【００６６】
チケット情報選択部２２は、チケット購入情報に応じて、販売すべきチケット情報を選択する。チケット情報は、既存の印刷物のチケットと基本的に同じものであって、電子データ化されたものである。
【００６７】
認証画像生成部２３は、チケット購入情報に応じて、販売するチケット情報に対する認証画像を生成する。認証画像は、チケット情報毎に固有のものであって、そのチケット情報の真偽を判定することができるものである。例えば、バーコード又はＱＲコードがある。
【００６８】
生体情報蓄積部２４は、受信された生体情報（顔写真情報）を、認証画像と対応付けて記憶する。検札装置３から問い合わせを受けた認証画像に対して、その顔写真情報を返信する。
【００６９】
透かし埋込部２５は、生成された鍵を用いて、チケット情報に認証画像を電子透かしで埋め込んで、透かしチケット情報を生成する。
【００７０】
透かしチケット情報送信部２６は、透かしチケット情報を携帯端末１へ送信する。
【００７１】
検札装置は、コード読取部３１と、入行管理部３２と、管理ディスプレイ３３とを有する。
【００７２】
コード読取部３１は、携帯端末１のディスプレイに表示された認証画像を読み取る。
【００７３】
入行管理部３２は、コード読取部３１によって読み取られた認証画像の真偽を判定する。また、その認証画像を電子チケット配信サーバ２へ送信し、対応する顔写真情報を受信する。そして、入行管理部３２は、認証画像の真偽結果と共に、その顔写真情報を管理ディスプレイ３３へ表示する。
【００７４】
管理ディスプレイ３３は、入行管理部３２の制御の下で、真偽結果及び顔写真情報を表示する。検札装置３から入行しようとしている利用者が正当であれば、チケットの真偽結果ＯＫとその利用者の顔写真情報とが、管理ディスプレイ３３に表示されることとなる。
【００７５】
これにより、検札装置３の入行管理者は、チケットの正当性を確認できるだけでなく、その個人だけが復号できる顔写真情報による個人確認ができる。また、検札装置３の管理ディスプレイ３３には、その認証画像に対応する顔写真情報が表示されるので、両方の顔写真情報の違いから、不正利用者であることが容易に把握される。
【００７６】
入行管理者が、入行しようとしている個人を認証するために、２つの方法がある。
【００７７】
第１の方法として、入行管理者は、入行しようとしている個人と、管理ディスプレイ３３に表示された顔写真情報とを比較して、その個人を確認する。この場合、電子チケット配信サーバ２が、入行管理部３２へ、その認証画像に対応する顔写真情報（生体情報）を送信する。入行管理部３２は、管理ディスプレイ３３に、真偽結果と共にその顔写真情報を表示する。入行管理は、管理ディスプレイ３３に表示された顔写真情報と、入行しようとしている個人とが、同一人物であるか否かを確認することができる。
【００７８】
第２の方法として、入行管理者は、入行しようとしている個人と、その個人が所持する携帯端末に表示された顔写真情報とを比較して、その個人を確認する。この場合、携帯端末１のディスプレイには、認証画像と共に顔写真画像も表示される。これにより、入行管理者は、認証画像に紐付けされた顔写真画像と、入行しようとしている個人とが、同一人物であるか否かを確認することができる。
【００７９】
但し、第２の方法によれば、悪意の第三者は、窃盗した正規の認証画像に、自分の顔写真画像を表示することも考えられる。そのような場合に対応するために、携帯端末１が、検札装置３へ、透かしチケット画像を送信するようにすることもできる。ここで、検札装置３の入行管理部３２は、受信した透かしチケット画像と、先に受信した生体情報とから、図３で説明したＳ３０５〜Ｓ３０７の方法によって、認証画像を復号することができる。更に、入行管理部３２は、復号された認証画像と、携帯端末１のディスプレイをかざして検札装置３１によって読み取られた認証画像とを比較し、一致するか否かを判定する。一致しないならば、携帯端末１に表示された認証画像と顔写真情報とは紐付けされたものではないといえる。
【００８０】
前述したように、本発明によれば、印刷物のチケットと同様に、人間の視覚的に認識しやすい電子チケットであって、個人を認証することができる。コンサート会場、映画館、店舗などで、利用者が、以前に電子チケット配信サーバへ送信した生体情報と、実際の利用者とを視覚的に比較することで個人認証をすることができるため、なりすまし、転売防止、テロ対策等に効果がある。本発明によれば、その生体情報を有する利用者のみが、認証画像を復号することができるので、チケットの正当性に対する認証や、来場有無等のその他の情報をチェックすることもできる。
【００８１】
また、本発明によれば、生体情報と透かしチケット情報とのいずれか一方が漏洩したとしても、認証画像を復号することができない。両方が漏洩したとしても、検札装置の管理ディスプレイに表示される生体情報と、実際にゲートを通過しようとする不正利用者とを視覚的に比較することによって、視覚的にその不正利用者を区別することが可能となる。このような個人認証は、近年増大しているテロなどのセキュリティ対策からも重要である。
【００８２】
利用者にとっては、表現力の高いチケット情報を管理することで、無意識のうちに認証画像も管理することとなり、認証画像のみを紛失することがない。
【００８３】
本発明によれば、検札装置を利用者が通過する際に、透かし検出のステップを含まない。即ち、検札装置に透かし検出手段を設ける必要がなく、ゲート通過の際の処理負荷を極力軽減し、多数の利用者の通過に対しても短時間で認証することができる。また、検札装置におけるコード読取部は、従来から用いられているものであり、新たな機能追加を少なくできる。更に、サーバ又は検札装置において、利用者の顔写真を撮影する必要もなく、システム全体を簡易に構築することができる。
【００８４】
従来の印刷物のチケットではデザイン性の高い半券を保存しておく人が多かったが、表現力の高いチケットが電子化されることで、より半券の管理や利用用途が広がると考えられる。
【００８５】
生体情報は、指紋、手のひら静脈等の情報であってもよい。但し、この場合、携帯端末１だけでなく、検札装置３も、別途、指紋センサ又は静脈センサを備える必要がある。利用者が検札装置３を通過する際に、指紋又は静脈の情報との照合が必要となる。
【００８６】
前述した本発明における種々の実施形態によれば、本発明の技術思想及び見地の範囲の種々の変更、修正及び省略を、当業者は容易に行うことができる。前述の説明はあくまで例であって、何ら制約しようとするものではない。本発明は、特許請求の範囲及びその均等物として限定するものにのみ制約される。
【図面の簡単な説明】
【００８７】
【図１】従来技術におけるシステム構成図である。
【図２】本発明におけるシステム構成図である。
【図３】本発明における携帯端末と電子チケット配信サーバとの間のシーケンス図である。
【図４】本発明における機能構成図である。
【符号の説明】
【００８８】
１  携帯端末
１０  生体情報取得部
１１  チケット購入メッセージ送信部
１２  生体情報蓄積部
１３  生体情報鍵生成部
１４  透かしチケット情報受信部
１５  透かし検出部
１６  表示部
２  電子チケット配信サーバ
２０  チケット購入メッセージ受信部
２１  生体情報鍵生成部
２２  チケット情報選択部
２３  認証画像生成部
２４  生体情報蓄積部
２５  透かし埋込部
２６  透かしチケット情報送信部
３  検札装置
３１  コード読取部
３２  入行管理部
３３  管理ディスプレイ
４  基地局
５  移動通信網
６  インターネット
【図１】
2007122143.tif 000003
【図２】
2007122143.tif 000004
【図３】
2007122143.tif 000005
【図４】
2007122143.tif 000006